(57)【要約】【課題】撮影時または撮影後に画像内の被写体の大きさを容易に推察することができる撮像装置を提供する。【解決手段】本発明のデジタルカメラの構成は、従来のデジタルカメラに、新たに測距装置１７とイラスト調整回路１９と画像合成用ＤＲＡＭ１８が追加されており、画像データコントローラの構成が異なることである。一般的に、測距装置１７にはアクティブ方式とパッシブ方式があり、アクティブ方式は、音波や赤外線を被写体に照射しその跳ね返りの時間や角度から距離を測り、パッシブ方式は、レンズ付きのラインセンサに光を受けて光の入射角度から距離を測る。本発明ではどちらの方式でも利用可能である。またイラスト調整回路１９は、システムコントローラ１４から入力信号を得て、画像合成ＤＲＡＭ１８とデータのやりとりを行う。画像合成用ＤＲＡＭ１８は、ＤＲＡＭ６内に含まれてもよい。【選択図】      図１
2004282393.tif 000002
【特許請求の範囲】
【請求項１】
光学的、またはデジタル的なズーム機能を備えた撮像手段と、被写体までの距離を測定する測距手段と、前記ズーム機能から得られる倍率データと前記測距手段から得られる測距データに基づいて、大きさの既知なイラストを選択するイラスト調整手段と、該イラスト調整手段により選択されたイラストを、前記撮像手段により撮像された画像と合成するイラスト合成手段と、該イラスト合成手段により合成された画像を表示する画像表示手段と、前記イラスト合成手段により合成された画像を記録する画像記録手段とを備えたことを特徴とする撮像装置。
【請求項２】
前記イラスト調整手段は、前記被写体から前記撮像装置までの距離とズーム倍率に対応させた大きさの既知のイラストを保存するイラスト保存部と、前記倍率データと測距データに基づいて、対応するイラストを前記イラスト保存部から選択するイラスト選択部とを備えたことを特徴とする請求項１に記載の撮像装置。
【請求項３】
前記画像記録手段に画像を記録する際、前記撮像手段により撮像された画像に前記イラストを合成した状態で記録するか否かを選択可能としたことを特徴とする請求項１に記載の撮像装置。
【請求項４】
前記画像記録手段に画像と共に記録された倍率データ及び測距データに基づいて、前記イラスト選択手段によりイラストを選択し、該イラストを画像再生時の画像と合成することを特徴とする請求項１に記載の撮像装置。
【請求項５】
ユーザが撮影または作成した画像をイラストとして利用可能としたことを特徴とする請求項１に記載の撮像装置。
【請求項６】
光学的、またはデジタル的なズーム機能による撮像ステップと、被写体までの距離を測定する測距ステップと、前記ズーム機能から得られる倍率データと前記測距ステップから得られる測距データに基づいて、大きさの既知なイラストを選択するイラスト調整ステップと、該イラスト調整ステップにより選択されたイラストを、前記撮像ステップにより撮像された画像と合成するイラスト合成ステップと、該イラスト合成ステップにより合成された画像を表示する画像表示ステップと、前記イラスト合成ステップにより合成された画像を記録する画像記録ステップとを備えたことを特徴とする撮像方法。
【請求項７】
前記イラスト調整ステップは、前記被写体から撮像装置までの距離とズーム倍率に対応させた大きさの既知のイラストを保存するイラスト保存ステップと、前記倍率データと測距データに基づいて、対応するイラストを前記イラスト保存ステップから選択するイラスト選択ステップとを備えたことを特徴とする請求項６に記載の撮像方法。
【請求項８】
前記画像記録ステップにより画像を記録する際、前記撮像ステップにより撮像された画像に前記イラストを合成した状態で記録するか否かを選択可能としたことを特徴とする請求項６に記載の撮像方法。
【請求項９】
前記画像記録ステップに画像と共に記録された倍率データ及び測距データに基づいて、前記イラスト選択ステップによりイラストを選択し、該イラストを画像再生時の画像と合成することを特徴とする請求項６に記載の撮像方法。
【請求項１０】
ユーザが撮影または作成した画像をイラストとして利用可能としたことを特徴とする請求項６に記載の撮像方法。
【請求項１１】
請求項６乃至１０の何れか一項に記載の撮像方法をコンピュータが制御可能にプログラミングしたことを特徴とする撮像プログラム。
【請求項１２】
請求項１１に記載の撮像プログラムをコンピュータが読み取り可能な形式で記録したことを特徴とする記録媒体。
【発明の詳細な説明】
【０００１】
【発明の属する技術分野】
本発明は、撮像装置に関し、さらに詳しくは、電子画像を撮像・再生するカメラのズーム方法に関するものである。
【０００２】
【従来の技術】
近年、デジタルカメラなどの電子画像撮像装置の普及により、撮影画像を液晶モニタで即座に確認できることで撮影ミスが減り、また自分で手軽に画像加工やプリントができるなど、画像を扱う機会が増えてきている。しかし、モニタに表示された画像やプリントされた画像を見たとき、そこに写されている物体の長さや大きさを容易に類推することは難しい。特に最近では高倍率ズーム機能を備えたものも多くなり、例えば、被写体が小石なのか、それとも巨大な岩なのかを判断するのも難しい場合がある。これに対して、同一出願人による特願２００２−２２６１５４では、ズーム機能から得られる倍率データと測距手段から得られる測距データから、大きさの既知なイラストを画像に合成して被写体の大きさを判断できるようにした発明が既に出願されている。
【０００３】
図９は、従来の一般的なデジタルカメラの構成を示す図である。このデジタルカメラは、被写体の画像光を集光する光学レンズ１と、集光された画像光を撮像素子３に照射するタイミングを生成するメカシャッタ２と、ＣＣＤ等で構成されメカシャッタ２を通過した画像光を電気信号に変換する撮像素子３と、撮像素子３からの信号をサンプルホールドするＳ／Ｈ回路４と、アナログ信号をデジタル信号に変換するＡ／Ｄ回路５と、圧縮された画像データを蓄積するＤＲＡＭ６と、撮影中及び撮影した画像を表示する画像表示装置７と、各種の画像処理をおこなう画像データコントローラ８と、ＪＰＥＧなどのフォーマット規格に準拠して画像データを圧縮／伸張を行う画像圧縮回路９と、スマートメディアやコンパクトフラッシュ（登録商標）等で構成され画像を保存する画像記録メディア１０と、撮像素子３、Ｓ／Ｈ回路４、Ａ／Ｄ回路５、および画像データコントローラ８のタイミングを制御するタイミング発生器１１と、メカシャッタ２を駆動するシャッタ駆動回路１２と、光学レンズ１により被写体の焦点を合わせるレンズ駆動回路１３と、操作スイッチ１６などから得られる信号に応じてＥＥＰＲＯＭ１５からデータを読み出しシステム制御を行うシステムコントローラ１４と、装置を最適に動作させるためのプログラムを保存するＥＥＰＲＯＭ１５と、レリーズスイッチ、電源スイッチ、及び撮影／再生モードを切り替えるスイッチ等で構成される操作スイッチ１６とを備えて構成される。
【０００４】
次にデジタルカメラの動作について説明する。被写体から得られる光信号は、光学レンズ１の焦点距離を変化させることによって、被写体の拡大、縮小およびピント調整が行われ撮像素子３上に集光し像を形成する。デジタルカメラのピント調整は、撮像素子３に形成された像のコントラストを検出し、最もコントラストの高い位置に光学レンズ１を移動させるＣＣＤ−ＡＦ方式が一般的である。一方で、銀塩カメラ時代から用いられてきた測距装置を用いたピント調整を行う機種も次第に増えてきている。測距装置を用いたピント調整の利点はフォーカス動作の高速化が挙げられる。撮像素子３上には、フォトダイオードが規則正しく２次元に配列し、電荷転送路として垂直ＣＣＤ（Ｃｈａｒｇｅ  Ｃｏｕｐｌｅｄ  Ｄｅｖｉｃｅ）と水平ＣＣＤがあり、フォトダイオードの光電変換機能により、入射した光量に応じた電荷を蓄積し、光信号を電気信号に変換する。撮像素子３に入射する光量は、撮像素子手前のメカシャッタ２と撮像素子内部の電子シャッタによって調整が可能である。１個のフォトダイオードは１画素に相当し、一般的にフォトダイオード上には、Ｒ（Ｒｅｄ）、Ｇ（Ｇｒｅｅｎ）、Ｂ（Ｂｌｕｅ）のいずれか１つのカラーフィルタと、より多くの光を取り込むためにマイクロレンズが取り付けられている。フォトダイオードに蓄積された電荷は、読み出しパルスに従って垂直ＣＣＤに読み出され、垂直ＣＣＤから水平ＣＣＤを通って、水平１ラインずつ出力アンプから出力される。撮像素子３からの信号はＳ／Ｈ回路４に入力し、サンプルホールドされて、各画素に対応したデータが抽出される。Ａ／Ｄ回路５では、Ｓ／Ｈ回路４からのアナログ信号をデジタル信号に変換する。Ａ／Ｄ回路５からの信号は、画像データコントローラ８に入力し画像処理が行われる。画像処理時のデータの一時的な記憶場所としてＤＲＡＭ６が用いられている。画像データコントローラ８での処理内容は、図１０にて詳述する。
【０００５】
画像表示装置７では、撮像中及び撮像した画像を表示装置用に信号変換を行ったのち表示される。画像圧縮回路９では、画像データをＪＰＥＧなどのフォーマット規格に準拠した圧縮／伸張を行い、その後画像記録メディア１０（スマートメディア、コンパクトフラッシュ（登録商標）など）に保存する。ＥＥＰＲＯＭ１５（電気的消去およびプログラム可能なＲＯＭ）には、装置を最適に動作させるためのプログラムやデータが保存されており、システムコントローラ１４は操作スイッチなどから得られる信号に応じてＥＥＰＲＯＭからデータを読み出しシステム制御を行っている。ここで操作スイッチ１６には、レリーズスイッチ、電源スイッチ、撮影／再生モード切り換えなどが含まれる。タイミング発生器１１は、撮像素子３、Ｓ／Ｈ回路４、Ａ／Ｄ回路５、画像データコントローラ８の動作タイミングを制御している。
【０００６】
図１０は、図９のデジタルカメラの画像データコントローラ８のブロック図である。同じ構成要素には同じ参照番号が付されているので、重複する説明は省略する。図９のＡ／Ｄ回路５から出力されたデジタルデータが、画像データコントローラ８に入力すると、まずＲＧＢ補間処理８ａが行われる。一般にフォトダイオード上には、１色のカラーフィルタが付いているため、１画素に対してＲ、Ｇ、Ｂのいずれか１つの色しかデータを保持していない。そのため、周りの画素の情報から演算で残りの２色の補間を行う。次に、ガンマ補正８ｂを行い画像のトーン（階調）の調整を行う。その後、画像表示用と画像保存用にＲＧＢ信号をＹＵＶ変換８ｃによって輝度信号（Ｙ）と色差信号（Ｕ、Ｖ）に変換する。この他にも画像のエッジ部分を処理して画像にメリハリをつけるエッジ強調を行っているものもある。
【特許文献１】特願２００２−２２６１５４
【０００７】
【発明が解決しようとする課題】
しかし、前記特許文献１は撮影後の画像について言及がないため、画像再生時において被写体の大きさを知ることができなといった問題がある。
また、従来の一般的なデジタルカメラには、ズーム画像の大きさを知るための手段がなく、そこに写されている物体の長さや大きさを容易に類推することができないといった問題がある。
本発明は、かかる課題に鑑み、撮影時または撮影後に画像内の被写体の大きさを容易に推察することができる撮像装置を提供することを目的とする。
【０００８】
【課題を解決するための手段】
本発明はかかる課題を解決するために、請求項１は、光学的、またはデジタル的なズーム機能を備えた撮像手段と、被写体までの距離を測定する測距手段と、前記ズーム機能から得られる倍率データと前記測距手段から得られる測距データに基づいて、大きさの既知なイラストを選択するイラスト調整手段と、該イラスト調整手段により選択されたイラストを、前記撮像手段により撮像された画像と合成するイラスト合成手段と、該イラスト合成手段により合成された画像を表示する画像表示手段と、前記イラスト合成手段により合成された画像を記録する画像記録手段とを備えたことを特徴とする。
一般的なデジタルカメラの構成例と比較すると、新たに測距手段とイラスト調整手段と画像合成用のイラスト合成手段が追加されている点が異なる。一般的に、測距装置にはアクティブ方式とパッシブ方式があり、アクティブ方式は、音波や赤外線を被写体に照射し、その跳ね返りの時間や角度から距離を測る。それに対してパッシブ方式は、レンズ付きのラインセンサに光を受けて光の入射角度から距離を測る。本発明ではどちらの方式でも利用可能である。またイラスト調整手段は、システムコントローラから入力信号を得て、イラスト合成手段とデータのやりとりを行う。
かかる発明によれば、撮影した画像にイラストを表示できることにより、撮影後でも容易に被写体の大きさを判断することができる。
【０００９】
請求項２は、前記イラスト調整手段は、前記被写体から前記撮像装置までの距離とズーム倍率に対応させた大きさの既知のイラストを保存するイラスト保存部と、前記倍率データと測距データに基づいて、対応するイラストを前記イラスト保存部から選択するイラスト選択部とを備えたことを特徴とする。
イラスト調整手段は、複数の既知のイラストを保存するイラスト保存部と、その中から倍率データと測距データに基づいて、イラストを選択するイラスト選択部から構成されている。この構成により、イラスト保存部内のイラストを適宜変更及び修正することにより、最適なイラストを選択することができる。
かかる発明によれば、イラスト保存部にイラストを保存するので、イラストを適宜変更及び修正することが可能となり、イラストのバリエーションが広くすることができる。
請求項３は、前記画像記録手段に画像を記録する際、前記撮像手段により撮像された画像に前記イラストを合成した状態で記録するか否かを選択可能としたことを特徴とする。
本発明は、画像記録時に撮影画像にイラストを合成した状態で記録するかどうか選択できることを特徴としている。イラスト表示モードで画像を撮影した後に、イラストを合成した状態で画像を保存するか、或いはイラストなしで保存を行うかをユーザが選択できるようにする。選択するタイミングは、撮影前でもよいし、撮影後イラストの合成を確認してから選択を行ってもよい。イラストを合成した状態で保存を選択したときには、そのままイラストを合成した状態で画像を保存する。そして、イラストなしで保存を選択したときには、イラストは削除して通常の撮影画像を保存する。また、イラスト合成ありとなしとの２枚の画像をそれぞれ保存できるようにしてもよい。
かかる発明によれば、画像記録時に撮影画像にイラストを合成した状態で記録するかどうか選択できるので、イラストが不必要な画像とイラストが必要な画像とを任意に選択することができる。
【００１０】
請求項４は、前記画像記録手段に画像と共に記録された倍率データ及び測距データに基づいて、前記イラスト選択手段によりイラストを選択し、該イラストを画像再生時の画像と合成することを特徴とする。
本発明は、撮影画像と共に記録された倍率データと測距データから、画像再生時にイラストを画像に合成できることを特徴としている。現在、撮影画像には、様々な情報が付加されて記録されている。例えば、画像サイズ、シャッタースピード、絞り値、画質モードなどがある。本発明では、さらに撮影画像に撮影時の倍率データと測距データの情報を加えて保存する。そして、画像再生時にこの２つのデータからイラストを選択して撮影画像にイラストを合成する。
かかる発明によれば、画像再生時にこの２つのデータからイラストを選択して撮影画像にイラストを合成することができるので、撮影時にイラストなしの状態で撮影画像を保存しても、後から再生時にイラストを再現することができる。また、パソコンなど撮影に用いた機器以外で再生を行うときにも、この２つのデータを用いることでイラストを再現することが可能となる。
請求項５は、ユーザが撮影または作成した画像をイラストとして利用可能としたことを特徴とする。
本発明は、ユーザが撮影または作成した画像をイラストとして利用できることを特徴としている。例えば、カメラで撮影した画像やパソコン等で作成した画像をイラストに設定できるようにするために、カメラにイラスト取り込みモードを用意する。
かかる発明によれば、ユーザが撮影または作成したイラストを利用できることにより、撮影作業に親近感を抱き娯楽性を増すことができる。
【００１１】
請求項６は、光学的、またはデジタル的なズーム機能による撮像ステップと、被写体までの距離を測定する測距ステップと、前記ズーム機能から得られる倍率データと前記測距ステップから得られる測距データに基づいて、大きさの既知なイラストを選択するイラスト調整ステップと、該イラスト調整ステップにより選択されたイラストを、前記撮像ステップにより撮像された画像と合成するイラスト合成ステップと、該イラスト合成ステップにより合成された画像を表示する画像表示ステップと、前記イラスト合成ステップにより合成された画像を記録する画像記録ステップとを備えたことを特徴とする。
かかる発明によれば、請求項１と同様の作用効果を奏する。
請求項７は、前記イラスト調整ステップは、前記被写体から撮像装置までの距離とズーム倍率に対応させた大きさの既知のイラストを保存するイラスト保存ステップと、前記倍率データと測距データに基づいて、対応するイラストを前記イラスト保存ステップから選択するイラスト選択ステップとを備えたことを特徴とする。
かかる発明によれば、請求項２と同様の作用効果を奏する。
請求項８は、前記画像記録ステップにより画像を記録する際、前記撮像ステップにより撮像された画像に前記イラストを合成した状態で記録するか否かを選択可能としたことを特徴とする。
かかる発明によれば、請求項３と同様の作用効果を奏する。
【００１２】
請求項９は、前記画像記録ステップに画像と共に記録された倍率データ及び測距データに基づいて、前記イラスト選択ステップによりイラストを選択し、該イラストを画像再生時の画像と合成することを特徴とする。
かかる発明によれば、請求項４と同様の作用効果を奏する。
請求項１０は、ユーザが撮影または作成した画像をイラストとして利用可能としたことを特徴とする。
かかる発明によれば、請求項５と同様の作用効果を奏する。
請求項１１は、請求項６乃至１０の何れか一項に記載の撮像方法をコンピュータが制御可能にプログラミングしたことを特徴とする。
かかる発明によれば、本発明の撮像方法をコンピュータが制御可能なＯＳに従ってプログラミングすることにより、そのＯＳを備えたコンピュータであれば同じ処理方法により制御することができる。
請求項１２は、請求項１１に記載の撮像プログラムをコンピュータが読み取り可能な形式で記録したことを特徴とする記録媒体。
かかる発明によれば、撮像プログラムをコンピュータが読み取り可能な形式で記録媒体に記録することにより、この記録媒体を持ち運ぶことにより何処でもプログラムを稼動することができる。
【００１３】
【発明の実施の形態】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明の一実施形態に係るデジタルカメラの構成を示す図である。図１が図９と異なる点は、新たに測距装置１７とイラスト調整回路１９と画像合成用ＤＲＡＭ１８が追加されており、画像データコントローラ（後述）の構成が異なることである。一般的に、測距装置１７にはアクティブ方式とパッシブ方式があり、アクティブ方式は、音波や赤外線を被写体に照射しその跳ね返りの時間や角度から距離を測り、パッシブ方式は、レンズ付きのラインセンサに光を受けて光の入射角度から距離を測る。本発明ではどちらの方式でも利用可能である。またイラスト調整回路１９は、システムコントローラ１４から入力信号を得て、画像合成ＤＲＡＭ１８とデータのやりとりを行う。画像合成用ＤＲＡＭ１８は、ＤＲＡＭ６内に含まれてもよい。以下、具体的な事例を挙げて説明する。
図２は、本発明の被写体の大きさを判断するためのイラスト表示処理を含む一連の処理を示したフローチャートである。ユーザはイラスト表示をするか否かのモード選択を行う（Ｓ１）。ここでモード選択手段は、ハード的に専用の操作スイッチであってもよいし、ソフト的にＬＣＤに設定メニューを表示し選択する形式でもよい。ステップＳ１でユーザがイラスト表示モードを選択すると（Ｓ１でＹＥＳのルート）、カメラは、現在の被写体からカメラまでの距離を測距装置１７で測定し、その測距結果を測距データとしてシステムコントローラ１４からイラスト調整回路１９に入力する。また、現在のカメラのズーム倍率も倍率データとしてシステムコントローラ１４から取得し、イラスト調整回路１９に入力する（Ｓ２）。イラスト調整回路１９はこれらのデータに基づいて対応するイラストを選択し（Ｓ３）、撮影された画像とイラストを画像合成用ＤＲＡＭにより合成し（Ｓ４）、合成された画像を画像表示装置７に表示する（Ｓ５）。そしてイラストを見ながらズーム倍率を決定して画像を撮影し（Ｓ６）、その画像とイラストを合成して（Ｓ７）、合成画像を画像圧縮回路９により圧縮して画像記録メディア１０に記録する（Ｓ８）。
【００１４】
図３は、本発明のイラスト調整回路とその周辺部のブロック図である。同じ構成要素には同じ参照番号が付されているので、重複する説明は省略する。イラスト調整回路１９は、イラスト保存用メモリ１９ｂとイラスト選択部１９ａから構成されている。イラスト保存用メモリ１９ｂはＥＥＰＲＯＭ１５でも代用できる。イラスト保存用メモリ１９ｂには、被写体からカメラまでの距離とズーム倍率に対応させた複数の大きさの既知なイラスト（例えば、タバコの箱など）を予め保持させておく。そして、システムコントローラ１４から取得した測距データと倍率データをもとに対応するイラストの選択を行う。
図４は、被写体からカメラまでの距離（測距データ：横軸）とズーム倍率（倍率データ：縦軸）に対応させたイラストの一例を示す図である。例えば、現在の被写体とカメラの距離（測距データ）が１．６ｍで、ズーム倍率（倍率データ）が２．３倍のとき、測距データ：横軸は１〜２ｍを選択し、倍率データ：縦軸は２〜３を選択してその交点にある「タバコの箱」４０のイラストがイラスト選択部１９ａで選択され、画像合成用ＤＲＡＭ１８に呼び出される。また、モニタリング画像の生成フローは、図１で示した撮像素子３で像を形成し、Ｓ／Ｈ回路４でサンプルホールドを行い、Ａ／Ｄ回路５でアナログ信号からデジタル信号に変換し、画像データコントローラ２０で画像処理して画像表示装置７に表示する。
【００１５】
図５は、画像データコントローラ２０の内部構成を示すブロック図である。この画像データコントローラ２０での画像処理内容は、図５のブロック図に示すようにＤＲＡＭ６を一時的な記憶場所として、モニタリング画像用にライン間引き処理２０ａ、ＲＧＢ補間２０ｂ、ガンマ補正２０ｃ、ＹＵＶ変換２０ｄを行い、モニタリング画像を画像合成用ＤＲＡＭ１８に記録する。画像合成用ＤＲＡＭ１８内のモニタリング画像４１と選択したイラスト画像４２は、図６に示すように画像を重ねて合成したモニタリング画像４３として画像表示装置７に表示する。その後ユーザが撮影動作を行うと、図５のように撮像装置は、撮影画像をＲＧＢ補間２０ｂ、ガンマ補正２０ｃ、ＹＵＶ変換２０ｄを行ったあと、イラスト画像を合成した状態で画像圧縮し画像記録メディア１０に保存する。
また他の実施形態として、画像記録時に撮影画像にイラストを合成した状態で記録するかどうか選択できることを特徴としている。イラスト表示モードで画像を撮影した後に、イラストを合成した状態で画像を保存するか、イラストなしで保存を行うかをユーザが選択する。選択するタイミングは、撮影前でもよいし、撮影後イラストの合成を確認してから選択を行ってもよい。イラストを合成した状態で保存を選択したときには、そのままイラストを合成した状態で画像を保存する。そして、イラストなしで保存を選択したときには、イラストは削除して通常の撮影画像のみを保存する。また、イラスト合成有りと無しの２枚の画像をそれぞれ保存できるようにしてもよい。
また他の実施形態として、撮影画像と共に記録された倍率データと測距データから、画像再生時にイラストを画像に合成できることを特徴としている。現在、撮影画像には、様々な情報が付加されて記録されている。例えば、画像サイズ、シャッタースピード、絞り値、画質モードなどがある。本実施形態では、さらに撮影画像に撮影時の倍率データと測距データの情報を加えて保存する。そして、画像再生時にこの２つのデータからイラストを選択して撮影画像にイラストを合成する。画像の合成方法は、図２の実施形態と同様である。これにより、撮影時にイラストなしの状態で撮影画像を保存しても、後から再生時にイラストを再現することができる。また、パソコンなど撮影に用いた機器以外で再生を行うときにも、この２つのデータを用いることでイラストを再現することが可能となる。
【００１６】
図７は本発明のイラスト取り込みモードのフローチャートである。ユーザが撮影または作成した画像をイラストとして利用できることを特徴としている。実施例としては、カメラで撮影した画像やパソコン等で作成した画像をイラストに設定できるようにするために、カメラにイラスト取り込みモードを用意する。イラスト取り込みモードでは、まず設定するイラストのサイズを決定する（Ｓ１０）。これは、どの程度の大きさのものをイラストにするかを決めるもので、図４に示したような既存のイラストを選択して、それと同等の大きさの画像を取り込むようにしてもよいし、例えば３０ｃｍ×４０ｃｍなどというようにユーザが大きさを指定できてもよい。次に、イラストの取り込みであるが、撮影取り込みを行うか否かを判断し（Ｓ１１）、カメラで撮影する場合には（Ｓ１１でＹＥＳのモード）モニタリングを開始する（Ｓ１２）。このとき、図８（ａ）のようにイラストの大きさが分かりやすいように四角の枠４４を設けてもよいし、さらに図８（ｂ）のように既存のイラストをゴースト表示４５（通常の表示よりも薄い表示）してもよい。ユーザは、四角の枠４４内に一杯になるように（または、ゴースト表示イラスト４５と同じ大きさになるように）被写体をモニタリングして撮影を行う（Ｓ１３）。そしてその画像を確認し（Ｓ１４）、取り込んだ画像は、ＥＥＰＲＯＭなどの内蔵メモリに保存し（Ｓ１５）、既存のイラストと同様に使用する。また、ステップＳ１１でパソコンで作成した画像を取り込む場合には（Ｓ１１でＮＯのモード）、予め取り込み可能なイラストサイズを設定しておき、ユーザはその大きさでイラストを作成し画像記録メディアに保存し、カメラは画像記録メディアからイラストを取り込み（Ｓ１６）、取り込んだ画像は、ＥＥＰＲＯＭなどの内蔵メモリに保存し（Ｓ１５）、既存のイラストと同様に使用する。
【００１７】
【発明の効果】
以上記載のごとく請求項１、６の発明によれば、撮影した画像にイラストを表示できることにより、撮影後でも容易に被写体の大きさを判断することができる。
また請求項２、７では、イラスト保存部にイラストを保存するので、イラストを適宜変更及び修正することが可能となり、イラストのバリエーションが広くすることができる。
また請求項３、８では、画像記録時に撮影画像にイラストを合成した状態で記録するかどうか選択できるので、イラストが不必要な画像とイラストが必要な画像とを任意に選択することができる。
また請求項４、９では、画像再生時にこの２つのデータからイラストを選択して撮影画像にイラストを合成することができるので、撮影時にイラストなしの状態で撮影画像を保存しても、後から再生時にイラストを再現することができる。また、パソコンなど撮影に用いた機器以外で再生を行うときにも、この２つのデータを用いることでイラストを再現することが可能となる。
また請求項５、１０では、ユーザが撮影または作成したイラストを利用できることにより、撮影作業に親近感を抱き娯楽性を増すことができる。
また請求項１１では、本発明の撮像方法をコンピュータが制御可能なＯＳに従ってプログラミングすることにより、そのＯＳを備えたコンピュータであれば同じ処理方法により制御することができる。
また請求項１２では、撮像プログラムをコンピュータが読み取り可能な形式で記録媒体に記録することにより、この記録媒体を持ち運ぶことにより何処でもプログラムを稼動することができる。
【図面の簡単な説明】
【図１】本発明の一実施形態に係るデジタルカメラの構成を示す図である。
【図２】本発明の被写体の大きさを判断するためのイラスト表示処理を含む一連の処理を示したフローチャートである。
【図３】本発明のイラスト調整回路とその周辺部のブロック図である。
【図４】本発明の被写体からカメラまでの距離（測距データ：横軸）とズーム倍率（倍率データ：縦軸）に対応させたイラストの一例を示す図である。
【図５】本発明の画像データコントローラ２０の内部構成を示すブロック図である。
【図６】本発明のモニタリング画像に選択したイラスト画像を合成する図である。
【図７】本発明のイラスト取り込みモードのフローチャートである。
【図８】本発明のモニタリング画像の例を示す図である。
【図９】従来の一般的なデジタルカメラの構成を示す図である。
【図１０】図９のデジタルカメラの画像データコントローラ８のブロック図である。
【符号の説明】
１  光学レンズ１、２  メカシャッタ、３  撮像素子、４  Ｓ／Ｈ回路、５  Ａ／Ｄ回路、６  ＤＲＡＭ、７  画像表示装置、８  画像データコントローラ、９  画像圧縮回路、１０  画像記録メディア、１１  タイミング発生器、１２  シャッタ駆動回路、１３  レンズ駆動回路、１４  システムコントローラ、１５ＥＥＰＲＯＭ、１６  操作スイッチ、１７  測距装置、１８  画像合成用ＤＲＡＭ、１９  イラスト調整回路
【図１】
2004282393.tif 000003
【図２】
2004282393.tif 000004
【図３】
2004282393.tif 000005
【図４】
2004282393.tif 000006
【図５】
2004282393.tif 000007
【図６】
2004282393.tif 000008
【図７】
2004282393.tif 000009
【図８】
2004282393.tif 000010
【図９】
2004282393.tif 000011
【図１０】
2004282393.tif 000012